(57)【要約】【課題】外側扉と内側扉の幅を略同じに形成し、外側扉に内側扉を沿わせた状態で外側扉を閉じた場合に、連結部分等が破損しないようにするとともに、デザイン性に優れ、趣のある使用態様を採用することができる仏壇を提供すること。【解決手段】折畳み可能な外側扉２ａと内側扉２ｂとからなる両開き扉２を備え、仏壇本体１の前面に扉１を案内する戸当たり３を配設するようにするし、この戸当たり３の外側扉２ａに対応する位置の戸当たり面３ａを、内側扉２ｂに対応する位置の戸当たり面３ｂより、少なくとも内側扉２ｂの厚みｔ２分だけ後退して形成し、外側扉２ａに内側扉２ｂを沿わせた状態で外側扉２ａを閉じることができるようにする。【選択図】図１
0003104381.tif 000002
【実用新案登録請求の範囲】
【請求項１】
折畳み可能な外側扉と内側扉とからなる両開き扉を備え、仏壇本体の前面に前記扉を案内する戸当たりを配設した仏壇において、前記戸当たりの外側扉に対応する位置の戸当たり面を、内側扉に対応する位置の戸当たり面より、少なくとも内側扉の厚み分だけ後退して形成し、外側扉に内側扉を沿わせた状態で外側扉を閉じることができるようにしたことを特徴とする仏壇。
【考案の詳細な説明】
【技術分野】
【０００１】
本考案は、折畳み可能な外側扉と内側扉とからなる両開き扉を備え、仏壇本体の前面に前記扉を案内する戸当たりを配設した仏壇に関し、特に、外側扉に内側扉を沿わせた状態で外側扉を閉じた場合に、連結部分等が破損しないようにするとともに、デザイン性に優れ、趣のある使用態様を採用することができる仏壇に関するものである。
【背景技術】
【０００２】
従来、仏壇として、図３に示すように、折畳み可能な外側扉２ａと内側扉２ｂとからなる両開き扉２を備え、仏壇本体１の前面に前記扉を案内する戸当たり３を配設した仏壇が広く用いられている。
【０００３】
そして、このような仏壇において、特に、外側扉に内側扉を沿わせた状態で外側扉を閉じた場合に、連結部分等が破損しないようにした仏壇が提案されている（特許文献１参照）。
ところで、この仏壇は、外側扉と内側扉の幅を異ならせる、具体的には、内側扉の幅を外側扉の幅より大きくすることにより、上記作用効果を奏するようにしているが、このように外側扉と内側扉の幅を異ならせるようにすると、デザインに制約がかかるという問題があった。
【特許文献１】特開平８−１１７７６８号公報
【考案の開示】
【考案が解決しようとする課題】
【０００４】
本考案は、上記従来の仏壇の有する問題点に鑑み、外側扉と内側扉の幅を略同じに形成し、外側扉に内側扉を沿わせた状態で外側扉を閉じた場合に、連結部分等が破損しないようにするとともに、デザイン性に優れ、趣のある使用態様を採用することができる仏壇を提供することを目的とする。
【課題を解決するための手段】
【０００５】
上記目的を達成するため、本考案の仏壇は、折畳み可能な外側扉と内側扉とからなる両開き扉を備え、仏壇本体の前面に前記扉を案内する戸当たりを配設した仏壇において、前記戸当たりの外側扉に対応する位置の戸当たり面を、内側扉に対応する位置の戸当たり面より、少なくとも内側扉の厚み分だけ後退して形成し、外側扉に内側扉を沿わせた状態で外側扉を閉じることができるようにしたことを特徴とする。
【考案の効果】
【０００６】
本考案の仏壇によれば、折畳み可能な外側扉と内側扉とからなる両開き扉を備え、仏壇本体の前面に前記扉を案内する戸当たりを配設した仏壇において、前記戸当たりの外側扉に対応する位置の戸当たり面を、内側扉に対応する位置の戸当たり面より、少なくとも内側扉の厚み分だけ後退して形成し、外側扉に内側扉を沿わせた状態で外側扉を閉じることができるようにしているので、外側扉と内側扉の幅を略同じに形成し、外側扉に内側扉を沿わせた状態で外側扉を閉じた場合でも、そのまま両扉を閉めることができ、連結部分等が破損することがない。
また、本考案の仏壇は、外側扉に内側扉を沿わせた状態で外側扉を閉じて、扉が仏壇本体から外側に出っ張らない状態にしてご本尊を拝むことができ、これにより、狭い室内等でも、仏壇の扉が邪魔になったり、扉にぶつかることなく、常にご本尊を拝むことができるようにすることができる。
【考案を実施するための最良の形態】
【０００７】
以下、本考案の仏壇の実施の形態を、図面に基づいて説明する。
【実施例１】
【０００８】
図１〜図２に、本考案の仏壇の一実施例を示す。
この仏壇は、略同じ幅に形成し、蝶番等の連結部材４を介して、折畳み可能に連結した外側扉２ａと内側扉２ｂとからなる両開き扉２を備え、仏壇本体１の前面に扉２を案内する戸当たり３を配設するようにするし、この戸当たり３の外側扉２ａに対応する位置の戸当たり面３ａを、内側扉２ｂに対応する位置の戸当たり面３ｂより、少なくとも内側扉２ｂの厚みｔ２分だけ、すなわち、寸法ｔ３だけ後退して形成し、外側扉２ａに内側扉２ｂを沿わせた状態で外側扉２ａを閉じることができるように構成している。
【０００９】
なお、本実施例においては、戸当たり３を、仏壇本体１の前面の上部及び下部に配設するようにしたが、いずれか一方のみとすることもできる。
【００１０】
そして、この仏壇は、図１（ａ）及び図２（ａ）に示すように、外側扉２ａに内側扉２ｂを沿わせた状態（仏壇本体１の前面の全部を開放した状態）から、外側扉２ａに内側扉２ｂを沿わせた状態のままで外側扉２ａを内側扉２ｂと共に閉じた場合でも、図１（ｂ）及び図２（ｂ）に示すように、特に、内側扉２ｂの先端面が戸当たり３に当接することなく、そのまま両扉２ａ、２ｂを閉めることができ、蝶番等の連結部材４等が破損することがない。
なお、図１（ｃ）及び図２（ｃ）に示すように、外側扉２ａと内側扉２ｂとを、一直線状にして閉じることにより、仏壇本体１の前面の全部を閉鎖した状態にすることができる。
【００１１】
また、この仏壇は、外側扉２ａに内側扉２ｂを沿わせた状態のままで外側扉２ａを内側扉２ｂと共に閉じて、図１（ｂ）及び図２（ｂ）に示すように、扉２が仏壇本体１から外側に全く出っ張らない状態（仏壇本体１の前面の中央部の半分を開放した状態）にしてご本尊５を拝むことができ、これにより、狭い室内等でも、仏壇の扉２が邪魔になったり、扉２にぶつかることなく、常にご本尊を拝むことができるようにすることができる。
【００１２】
以上、本考案の仏壇について、その実施例に基づいて説明したが、本考案は上記実施例に記載した構成に限定されるものではなく、その趣旨を逸脱しない範囲において適宜その構成を変更することができるものである。
【産業上の利用可能性】
【００１３】
本考案の仏壇は、外側扉と内側扉の幅を略同じに形成し、外側扉に内側扉を沿わせた状態で外側扉を閉じた場合に、連結部分等が破損しないようにするとともに、デザイン性に優れ、趣のある使用態様を採用することができることから、各種仏壇に広く適用することができ、特に、居間等の狭い室内等に設置する仏壇に好適に用いることができる。
【図面の簡単な説明】
【００１４】
【図１】本考案の仏壇の一実施例を示す正面図で、（ａ）は仏壇本体の前面の全部を開放した状態、（ｂ）は仏壇本体の前面の中央部の半分を開放した状態、（ｃ）は仏壇本体の前面の全部を閉鎖した状態を示す。
【図２】本考案の仏壇の一実施例を示す要部の平面図で、（ａ）は仏壇本体の前面の全部を開放した状態、（ｂ）は仏壇本体の前面の中央部の半分を開放した状態、（ｃ）は仏壇本体の前面の全部を閉鎖した状態を示す。
【図３】従来の仏壇を示す要部の平面図で、（ａ）は仏壇本体の前面の全部を開放した状態、（ｂ）は仏壇本体の前面の全部を閉鎖した状態を示す。
【符号の説明】
【００１５】
１    仏壇本体
２    扉
２ａ  外側扉
２ｂ  内側扉
３    戸当たり
３ａ  （外側扉に対応する）戸当たり面
３ｂ  （内側扉に対応する）戸当たり面
４    連結部材
５    ご本尊
ｔ２  内側扉の厚み
ｔ３  戸当たり面の後退寸法
【図１】
0003104381.tif 000003
【図２】
0003104381.tif 000004
【図３】
0003104381.tif 000005